(57)【要約】【課題】種々の形状の板紙類が安定的に支持されて搬送できるようにすると共に、積重エリヤにその板紙類がきちんと整列状態に積み重ねられる板紙類供給装置を提供する。【解決手段】段ボール紙等の板紙７類を支持する複数のベルト搬送機構１１ａ〜１１ｄを機枠１２に平行に設け、該各ベルト搬送機構を夫々幅方向に移動可能に設けて該各ベルト搬送機構の間隔を調節可能にすると共に、該各ベルト搬送機構は固定ビーム２１の先端部から可動ビーム２２が前方に伸張することにより伸縮可能に形成され、固定ビームの後端部に後端側ターンローラ２４を支持し、可動ビームの前端部に前端側ターンローラ２８を支持し、無端帯状の搬送ベルト３０を後端側ターンローラと前端側ターンローラとの間に張設することにより該各ベルト搬送機構の搬送面の長さを調節可能にした。【選択図】図１０
2008280159.tif 000002
【特許請求の範囲】
【請求項１】
段ボール紙等の板紙類を支持する複数のベルト搬送機構を機枠に平行に設け、該各ベルト搬送機構を夫々幅方向に移動可能に設けて該各ベルト搬送機構の間隔を調節可能にすると共に、該各ベルト搬送機構は固定ビームの先端部から可動ビームが前方に伸張することにより伸縮可能に形成され、固定ビームの後端部に後端側ターンローラを支持し、可動ビームの前端部に前端側ターンローラを支持し、無端帯状の搬送ベルトを後端側ターンローラと前端側ターンローラとの間に張設することにより該各ベルト搬送機構の搬送面の長さを調節可能にしたことを特徴とする板紙類供給装置。
【請求項２】
固定ビームの略中間部下側に設けたガイドローラと可動ビームの後端部下側に設けたガイドローラとに搬送ベルトの下部リターン側をＳ字状に巻回することにより、該搬送ベルトが常に弛みなく帰戻りするようにしたことを特徴とする請求項１に記載の板紙類供給装置。
【請求項３】
可動ビームの前端部に押出板をアクチュエータの作動により進行方向に出没するように設けたことを特徴とする請求項１または２に記載の板紙類供給装置。
【請求項４】
可動ビームの前端部に補助ローラを設け、搬送ベルトの搬送面から離間した板紙類が該補助ローラ上に一旦乗架してから積重エリヤに落下するようにしたことを特徴とする請求項１〜３のいずれかに記載の板紙類供給装置。
【発明の詳細な説明】
【技術分野】
【０００１】
本発明は、段ボール紙，厚紙等の板紙類を整然と積み重なるように印刷機，整函機等に供給する板紙類供給装置に関するものである。
【背景技術】
【０００２】
ダイカッターによって所定の形状に裁断された段ボール紙等の板紙は、次に印刷機や製函機等に供給するためにベルトコンベヤ上にてラップ状に折り重なった状態にて搬送される。下記特許文献１〜４はそのための従来の板紙類供給装置を示すもので、板紙類が支持する複数の無端帯状搬送ベルトが平行に設けられたものであったが、従来のこれらの板紙類供給装置は、各搬送ベルトの間隔および搬送面の長さが一定であって調節ができないものであった。
【特許文献１】特開昭５０−４８６６４号公報
【特許文献２】特公昭５２−２７８９８号公報
【特許文献３】特開昭５４−１４９１７６号公報
【特許文献４】実開昭６１−１５９４０号公報
【発明の開示】
【発明が解決しようとする課題】
【０００３】
ところで、ダイカッターによって裁断される今日の板紙類の平面形状は、図１に例示したように、紙箱の形状や組立構造等によって様々であり、例えば図示した板紙７では、紙箱の４側面となる４つの方形部Ａ１〜Ａ４が折目を介して横方向に連設され、該各方形部の両側に箱底面となるフラップＢ１〜Ｂ４および箱蓋となるフラップＣ１，Ｃ２，Ｃ４が夫々折目を介して延設されている。このように板紙７の搬送方向の先端縁および後端縁はフラップの形状によって凹凸状になるので、上記従来の板紙類供給装置によりこのような板紙を搬送した場合に、その板紙は斜めにズレ易く、整列状態にうまく積み重ねることができないという問題が生じた。
【課題を解決するための手段】
【０００４】
本発明はこのような問題点を解消した新たな構造の板紙類供給装置を提供しようとするものである。そのために請求項１に記載の板紙類供給装置は、段ボール紙等の板紙類を支持する複数のベルト搬送機構を機枠に平行に設け、該各ベルト搬送機構を夫々幅方向に移動可能に設けて該各ベルト搬送機構の間隔を調節可能にすると共に、該各ベルト搬送機構は固定ビームの先端部から可動ビームが前方に伸張することにより伸縮可能に形成され、固定ビームの後端部に後端側ターンローラを支持し、可動ビームの前端部に前端側ターンローラを支持し、無端帯状の搬送ベルトを後端側ターンローラと前端側ターンローラとの間に張設することにより該各ベルト搬送機構の搬送面の長さを調節可能にしたことを特徴とする。
また、請求項２に記載の発明は上記板紙類供給装置において、固定ビームの略中間部下側に設けたガイドローラと可動ビームの後端部下側に設けたガイドローラとに搬送ベルトの下部リターン側をＳ字状に巻回することにより、該搬送ベルトが常に弛みなく帰戻りするようにしたことを特徴とする。
また、請求項３に記載の発明は上記板紙類供給装置において、可動ビームの前端部に押出板をアクチュエータの作動により進行方向に出没するように設けたことを特徴とする。
また、請求項４に記載の発明は上記板紙類供給装置において、可動ビームの前端部に補助ローラを設け、搬送ベルトの搬送面から離間した板紙類が該補助ローラ上に一旦乗架してから積重エリヤに落下するようにしたことを特徴とする。
【発明の効果】
【０００５】
請求項１に記載の発明によれば、板紙類の形状に合わせて各ベルト搬送機構の間隔および各ベルト搬送機構の搬送面の長さを調節することができ、板紙類が各ベルト搬送機構によって安定的に支持されると共に、積重エリヤに板紙類が斜めになることなく整列状態にうまく積み重ねることができる。このため様々な形状の板紙類を問題なく搬送できて、整列状態にきちんと積み重ねることができる。
請求項２に記載の発明では、可動ビームを前方に伸張させて該ベルト搬送機構の搬送面の長さを調節しても搬送ベルトを弛ませることがなく、常に搬送ベルトが必要な張設状態に保たれる。
請求項３おび請求項４に記載の発明では、積重エリヤにおける板紙類の積み重ね状態がいっそう整然と揃えられる。
【発明を実施するための最良の形態】
【０００６】
次に本発明の実施の形態を図面と共に説明する。図２はこの装置の側面図、図３はその平面図である。レール１上に一対の平行な側板２ａ，２ｂからなる機台２が設けられ、該機台２の上端部に軸受３ａ，３ｂが設けられ、該軸受により複数のローラ４を適宜間隔で固設した回転軸５を回転自在に支持している。６は機台２の前面であってローラ４の前側位置に斜めに固設された滑板で、図１に示したような形状に裁断された段ボール紙等の板紙７を該ローラ４上に乗せることによって前方に移動させ該滑板上を滑落させることにより、該板紙が本発明に係る板紙類供給装置１０の複数のベルト搬送機構１１ａ〜１１ｄ上に乗せられるようにしている。なお、８はベルト搬送機構１１ａ〜１１ｄ上に乗せる板紙７を幅方向にずれないように整列させるために滑板６の一側に竪に設けられた当板である。
【０００７】
板紙類供給装置１０は、機枠１２内に４つのベルト搬送機構１１ａ〜１１ｄを平行であって夫々幅方向に移動可能として該各ベルト搬送機構の間隔を調節可能に設けている。該機枠１２は図４にも示すように、両側板１３ａ，１３ｂ間に幅方向梁部材１３ｃ〜１３ｆを横架してなり、該両側板１３ａ，１３ｂの一端を機台２に設けられた軸受１４ａ，１４ｂにヒンジすると共に、該機台２内に流体圧シリンダ１５を設け、幅方向梁部材１３ｄに該流体圧シリンダ１５のピストンロッドを連結し、該流体圧シリンダにより機枠１２を支持することにより、該流体圧シリンダを作動させると該機枠１２が軸受１４ａ，１４ｂを支点として上下に煽動するように構成される。なお、機枠１２の両外側面にはローラーコンベヤ１６ａ，１６ｂが固設されている。
【０００８】
４つのベルト搬送機構１１ａ〜１１ｄは同一構成であるので、これを図４〜図８に従い説明する。先ず、該各ベルト搬送機構１１ａ〜１１ｄを機枠１２内にて幅方向に移動可能にしている構成を説明する。機枠１２を構成する幅方向梁部材１３ｅ，１３ｆの上面に直線レール１４ａ，１４ｂを設けると共に、該幅方向梁部材１３ｅ，１３ｆの下面にラック歯１５ａ，１５ｂを設け、該直線レール上に摺動自在なるようにリニヤガイド１６ａ，１６ｂが備えられた支持部材１７ａ，１７ｂを設け、該支持部材により軸受１８ａ〜１８ｄを支持し、一端の軸受１８ｄにモータ１９を固設し、該モータ１９に繋がる回転軸２０を該軸受１８ａ〜１８ｄにより回転自在に支持し、該回転軸２０に固着した歯車２０ａ，２０ｂをラック歯１５ａ，１５ｂに噛合させ、該支持部材１７ａ，１７ｂの上端部に固定ビーム２１を水平に固着支持し、該固定ビームの略前半部に形成された筒状部２１ａ中に可動ビーム２２をスライド可能に収容し、該固定ビームの先端部から該可動ビームが前方に伸張し得るように構成される。そして、前記モータ１９により回転軸２０を回転駆動し、歯車２０ａ，２０ｂを回転させることにより、該固定ビーム２１が可動ビーム２２と共に機枠１２内にて幅方向に移動・停止されるようにしている。
【０００９】
固定ビーム２１は後端部には軸受２３を設けることにより後端側ターンローラ２４が回転自在に支持される。２６は該後端側ターンローラ２４を回転駆動するため両端部を前記軸受１４ａ，１４ｂに回転自在に支持した駆動軸で、該駆動軸は全長にわたって外周にスプライン状の係合溝が形成され、該係合溝に後端側ターンローラ２４の内周が係合することで該後端側ターンローラ２４は該駆動軸に沿って移動自在であり、該駆動軸２６がモータ（図示せず）により矢印の方向に回転駆動されることで、その回転が該後端側ターンローラ２４に伝達されるようにしている。また、可動ビーム２２の前端部に軸受２７を設け、前端側ターンローラ２８を回転自在に支持している。そして、無端帯状の搬送ベルト３０が後端側ターンローラ２４と前端側ターンローラ２８との間に張設される。３１は固定ビーム２１の下面に固着されたモータで、該モータ３１の回転軸に該固定ビーム２１の筒状部２１ａ中に延びるネジ軸３２が設けられ、該ネジ軸３２に可動ビーム２２の後端部に固設された雌ネジ部材３３を螺合させ、該ネジ軸３２を回転させると可動ビーム２２が筒状部２１ａ中をスライドし、該可動ビーム２２を前方へ適宜長に伸張させたところで停止できるようにしている。
【００１０】
また、３５は固定ビーム２１の略中間部下側に軸受片３６を垂下し、該軸受片に回転自在に設けたガイドローラ、３７は可動ビーム２２の後端部に軸受片３８を垂下し、該軸受片に回転自在に設けたガイドローラで、搬送ベルト３０の下部リターン側を該ガイドローラ３５とガイドローラ３７とにＳ字状に巻回する。また、３９は固定ビーム２１の後端部寄りに軸受片４０を垂下し、該軸受片に回転自在に設けたガイドローラ、４１は前記支持部材１７ｂ中に回転自在に設けられたガイドローラで、該ガイドローラ３９，ガイドローラ４１にも搬送ベルト３０の下部リターン側を摺接させることにより、該搬送ベルト３０が幅方向梁部材１３ｆ等に接触しないように迂回させている。このように、搬送ベルト３０の下部リターン側をガイドローラ３５とガイドローラ３７とにＳ字状に巻回すると、可動ビーム２２がスライドした際にガイドローラ３７も該可動ビーム２２と共にスライドすることから、該搬送ベルト３０の下部リターン側が常に弛みなく張設される。このため、前記駆動軸２６がモータにより回転駆動され後端側ターンローラ２４が回転することで搬送ベルト３０が循回することにより、該搬送ベルト３０の搬送面上に乗せられた板紙７が前方、即ち、図示矢印の方向に搬送される。
【００１１】
また、可動ビーム２２の前端部に流体圧シリンダからなるアクチュエータ４３を設け、該アクチュエータの作動により進行方向に出没するよう縦長長方形状の押出板４４を設ける。また、４５は可動ビーム２２の前端部に縦筒状取付部４６を設け、該取付部に軸支片４７を嵌脱自在なるように差し込むことにより搬送ベルト３０の搬送面と略同高さに支持される補助ローラである。
【００１２】
また、５０ａ，５０ｂは機枠１２の前端部に設けられた板紙の一対の幅揃え機構で、該各幅揃え機構は、図９にも示すように、機枠１２を構成する前記幅方向梁部材１３ｃの両外方突出端に前方に突出する張出板５１ａ，５１ｂを固着し、該張出板間にガイド軸５２ａ，５２ｂとネジ軸５３を平行に設け、該ネジ軸５３がモータ５４により回転されるようにすると共に、該ネジ軸５３が回転することにより該ガイド軸５２ａ，５２ｂに沿って移動する前方張出腕５５を設け、該前方張出腕上の適宜位置にロックハンドル５６を締め付けることにより組付体５７を固着し、該組付体に流体圧シリンダ５８を設けると共に該組付体の内端縁に当板５９の下縁部５９ａを枢着し、該流体圧シリンダ５８のピストンロッド先端を当板５９に連結することにより該当板５９を垂直に支持し、該流体圧シリンダ５８を作動させると該当板５９が下縁部５９ａを支点として煽動するように構成されている。
【００１３】
この板紙類供給装置では、前記モータ１９を作動させることで、図１０に例示したように、４つのベルト搬送機構１１ａ〜１１ｄを個々に幅方向に移動することができるので、該各ベルト搬送機構１１ａ〜１１ｄの搬送面が上記板紙７の方形部Ａ１〜Ａ４に夫々合致するように該各ベルト搬送機構１１ａ〜１１ｄの間隔を調整することができる。また、モータ３１を作動させ可動ビーム２２を適宜長に伸張することで前端側ターンローラ２８を前方に進出或いは後退させ該各ベルト搬送機構１１ａ〜１１ｄの搬送面の長さを調節することができるので、上記のように各ベルト搬送機構１１ａ〜１１ｄの間隔を調整すると同時に、該各ベルト搬送機構１１ａ〜１１ｄの前端側ターンローラ２８を板紙７の後端縁の形状に合わせて調節することにより、板紙７をバランスよく安定的に支持することができると共に、搬送されて来た板紙７の後端縁が各ベルト搬送機構１１ａ〜１１ｄの搬送ベルトから同時に離脱し、該板紙７が斜めになることなく略水平姿勢を保って真直に積重エリヤＢに落下するように設定することができる。これによって板紙７を該積重エリヤＢに整然と積み重ねることができる。
【００１４】
また、幅揃え機構５０ａ，５２ｂは、モータ５４を作動させることにより両当板５９の間隔を板紙７の幅寸法に合わせて調節することができると共に、流体圧シリンダ５８を作動させ当板５９を煽動させることにより、積重エリヤＢに落下する直前の板紙７を幅方向に位置揃えすることができる。また、アクチュエータ４３を作動させ押出板４４を進行方向に出没させ該積重エリヤＢに落下した板紙７を前方に押圧することにより該板紙７は前後方向にも揃えられる。
【００１５】
さらには、補助ローラ４５を設けることにより、各ベルト搬送機構１１ａ〜１１ｄの搬送面上から突出した板紙７が該補助ローラ４５によって一時的に支持されることから板紙７が積重エリヤＢの略真上に至るまで該板紙７が水平状態に保たれるようになるので、該板紙７を水平状態に保ったままで真直に落下させることができ、落下時に斜めになり難いので、積重エリヤＢに積み重ねられた板紙７を次の印刷機や製函機等（図示せず）に整然と送給することができる。
【図面の簡単な説明】
【００１６】
【図１】本発明の板紙類供給装置によって搬送しようとする板紙の一例を示す平面図。
【図２】本発明の実施形態を示す板紙類供給装置全体の側面図。
【図３】図２の平面図。
【図４】本発明の実施形態を示す板紙類供給装置のベルト搬送機構の縦断面図。
【図５】図４のベルト搬送機構の右半部の拡大図。
【図６】図４のベルト搬送機構の左半部の拡大図。
【図７】図４の作動状態図。
【図８】図６の作動状態図。
【図９】図３のＡ−Ａ線矢視図。
【図１０】図３の作動状態図。
【符号の説明】
【００１７】
７                板紙
１０              板紙類供給装置
１１ａ〜１１ｄ    ベルト搬送機構
１２              機枠
１４ａ，１４ｂ    直線レール
１５ａ，１５ｂ    ラック歯
１６ａ，１６ｂ    リニヤガイド
１９              モータ
２０ａ，２０ｂ    歯車
２１              固定ビーム
２２              可動ビーム
２４              後端側ターンローラ
２６              駆動軸
２８              前端側ターンローラ
３０              搬送ベルト
３１              モータ
３２              ネジ軸
３３              雌ネジ部材
３５              ガイドローラ
３７              ガイドローラ
４３              アクチュエータ
４４              押出板
４５              補助ローラ
５０ａ，５２ｂ    幅揃え機構
【図１】
2008280159.tif 000003
【図２】
2008280159.tif 000004
【図３】
2008280159.tif 000005
【図４】
2008280159.tif 000006
【図５】
2008280159.tif 000007
【図６】
2008280159.tif 000008
【図７】
2008280159.tif 000009
【図８】
2008280159.tif 000010
【図９】
2008280159.tif 000011
【図１０】
2008280159.tif 000012